(57)【要約】  【課題】移動壁の用途や機能および性能等のバリエーションを増加させる。  【解決手段】トロリー１３に吊持された移動壁１１の上側フレーム１７に強化ガラス板４０を吊持した回転フレーム３０を中央に配置したスラスト転がり軸受２１の回転軸２５によって回転自在に支承する。床面６に据え付けられた振れ止め具７７に回転自在に嵌入する振れ止め回転軸７６を移動壁のスラスト転がり軸受２１の回転軸２５の中心線上に配設する。回転フレーム３０の一端部に上側フレーム１７に自動的に係合するストッパ８２を有する回転防止装置８０を設置する。移動壁１１が移動間仕切り１０に使用された場合には、所望の移動壁１１を回転させることにより、移動間仕切り１０の一部を開くことができるので、移動間仕切り１０の機能ないしは使用方法等のバリエーションを増加させることができる。  【選択図】図１
2005336739.tif 000002
【特許請求の範囲】
【請求項１】
壁体を吊持した回転フレームがトロリーに吊持された上側フレームに、中央に配置された回転吊持装置によって回転自在に支承されていることを特徴とする移動壁。
【請求項２】
床面に据え付けられた振れ止め具に回転自在に嵌入する振れ止め回転軸が、前記壁体の移動壁の前記回転吊持装置の回転中心線上に配設されていることを特徴とする請求項１に記載の移動壁。
【請求項３】
前記上側フレームに自動的に係合するストッパを有する回転防止装置が、前記回転フレームの一端部に設置されていることを特徴とする請求項１または２に記載の移動壁。
【請求項４】
前記壁体が強化ガラス板または強化ガラス板同士による合わせガラス板によって形成されていることを特徴とする請求項１、２または３に記載の移動壁。
【発明の詳細な説明】
【技術分野】
【０００１】
本発明は、移動壁に関し、例えば、オフィスや集会所、宴会場、会議室、研修室およびギャラリー等の屋内空間をフルオープンやセミオープンおよびフルクローズに形成する移動間仕切りに利用して有効なものに関する。
【背景技術】
【０００２】
一般に、オフィスや集会所、宴会場、会議室、研修室およびギャラリー等の屋内空間を使用目的に対応して所望のサイズや雰囲気に間仕切りする移動間仕切りは、これら屋内空間の天井に敷設されたレールに沿って移動する移動壁が複数枚組み合わされて構築されている。このような移動間仕切りに使用される従来の移動壁として、長方形のパネル形状に形成された壁体が天井に敷設されたレールにトロリーによって懸架されているものがある（例えば、特許文献１および特許文献２参照）。
【０００３】
【特許文献１】実開昭６０−１３７０８７号公報
【特許文献２】実開昭６４−４４９８５号公報
【発明の開示】
【発明が解決しようとする課題】
【０００４】
前記した移動間仕切りに使用される移動壁においては、壁体が天井に敷設されたレールに沿って移動するだけであるために、用途は間仕切りだけに制限されている。
【０００５】
本発明の目的は、用途や機能および性能等のバリエーションを増加することができる移動壁を提供することにある。
【課題を解決するための手段】
【０００６】
本発明に係る移動壁は、壁体を吊持した回転フレームがトロリーに吊持された上側フレームに、中央に配置された回転吊持装置によって回転自在に支承されていることを特徴とする。
【発明の効果】
【０００７】
本発明によれば、移動壁が移動間仕切りに使用された場合には、移動壁の壁体を回転させることにより、間仕切りの一部を開いたセミオープンの状態を形成することができるので、間仕切りの機能ないしは使用方法等のバリエーションを増加させることができる。
【発明を実施するための最良の形態】
【０００８】
以下、本発明の一実施の形態を図面に即して説明する。
【０００９】
ところで、従来のオフィスは、例えば、オフィスビルのワンフロアを部課や部署等のセクション毎に固定間仕切り（仕切壁やパーティション）によって仕切って構成されるのが、一般的である。
一方、最近のビジネスの革新に伴って、オフィスの多種多様化が要望されている。
例えば、従来の部や課を超えた人材を同一のプロジェクト（企画ないし事業計画）に集約して大きなオフィスに配置し、そのプロジェクトの進展に合わせて人材を新陳代謝させる場合には、プロジェクトの進展や人材の新陳代謝等に対応して、オフィスの形態を適時に変更することが要求されると、考えられる。
【００１０】
このようなオフィスの多種多様化の要望に応ずるために、本実施の形態においては、本発明に係る移動壁は、オフィスの移動間仕切りに使用するのに好適なものとして構成されている。すなわち、本実施の形態に係る移動間仕切りは、複数枚の移動壁を互いに平行にに折り畳んで整列させたフルオープンの状態と、複数枚の移動壁を隣接して直列に整列させたフルクローズの状態と、フルクローズ状態の複数枚の移動壁のうち所望の移動壁を回転させて一部を開いたセミオープンの状態とを形成することができるように、構成されている。
図１に示されているように、本実施の形態に係るオフィスの移動間仕切り（以下、移動間仕切りという。）１０は、一つの屋内空間１の一対の側壁３、３の間に直角方向（以下、左右方向とする。）に敷設されて、一つの屋内空間１を二つの室（以下、オフィスルームという。）２、２に仕切るように構成されている。移動間仕切り１０は複数枚の移動壁１１によって構築されており、これらの移動壁１１は左右の側壁３、３の間の天井４に図１（ａ）に一点鎖線で示されているように敷設されたレール１２に移動自在に吊持されている。レール１２の両端部には引き込みレール１２ａ、１２ａがそれぞれＬ字形状に敷設されており、引き込みレール１２ａ、１２ａは移動間仕切り１０の移動壁１１を折り畳んで格納することができるように構成されている。
なお、左右の側壁３、３にはスイング式のドア９、９がそれぞれ設置されており、これらのドア９、９によって人間や什器等が両側のオフィスルーム２、２間を移動することができるようになっている。左右のドア９、９は移動間仕切り１０の複数枚の移動壁１１の折り畳み格納スペースを構成するように設定されている。
【００１１】
図２に示されているように、移動壁１１は左右の一対のトロリー１３、１３によってレール１２に走行自在に懸架されている。図３に示されているように、トロリー１３は上下で一対の車輪１４、１４を備えており、上下の車輪１４、１４は天井４にアンカー部材（図示せず）によって水平に敷設されたレール１２に水平に配置されて転動自在に支承されている。上下の車輪１４、１４の回転中心線上には吊り下げ軸１５が垂下されており、吊り下げ軸１５の下端部には取付ブロック１６が高さ位置調整可能に固定されている。
取付ブロック１６には移動壁１１の上側フレーム１７が水平に配されて固定されている。すなわち、上側フレーム１７は前後で一対の固定板１８、１８を備えており、前後の固定板１８、１８は取付ブロック１６の正面および背面にそれぞれ当接されてねじ部材１９、１９によって水平に固定されている。前後の固定板１８、１８やねじ部材１９、１９はステンレス鋼板等によって形成された化粧板２０によって被覆されている。
なお、レール１２の下端部には天井４を被覆する天井板５が建て込まれている。
【００１２】
図２に示されているように、移動壁１１の上側フレーム１７の中央には、回転吊持装置としてのスラスト転がり軸受２１が配設されており、スラスト転がり軸受２１は上側フレーム１７の下側に適度なクリアランスをとって水平に配設された回転フレーム３０を回転自在に吊持している。
図４に示されているように、スラスト転がり軸受２１は互いに上下で対向した上側レース２２と下側レース２３とを備えており、上側レース２２と下側レース２３との対向面間にはローラ２４が転動自在に介設されている。下側レース２３は上側フレーム１７に水平に配置されて両側の固定板１８、１８に固定されている。上側レース２２の回転中心線上には回転軸２５が垂下されて、ナット２６によって固定されており、回転軸２５の下端部には取付ブロック２７が固定されている。回転フレーム３０は前後で一対の固定板３１、３１を備えており、前後の固定板３１、３１は取付ブロック２７の正面および背面にそれぞれ当接されて、ねじ部材３２（図２参照）によって水平に固定されている。前後の固定板３１、３１やねじ部材３２はステンレス鋼板等によって形成された化粧板３３によって被覆されている。
【００１３】
回転フレーム３０の前後の固定板３１、３１の間には壁体としての強化ガラス板または強化ガラス同士による合わせガラス板（以下、強化ガラス板という。）４０が、その上端部が左右の全長にわたって挟み込まれて固定されることにより、吊持されている。すなわち、壁体としての強化ガラス板４０は縦長の長方形の板形状に形成されており、図２に示されているように、強化ガラス板４０の上端部における左右のトロリー１３、１３の真下よりも内寄りの位置には、左右で一対の吊り下げ孔４１、４１がそれぞれ開設されている。図５に示されているように、各吊り下げ孔４１にはブラケット４３がゴムまたは樹脂製のクッション部材４２を挟み込まれて嵌入されている。この状態で、強化ガラス板４０の上端部は回転フレーム３０の前後の固定板３１、３１の間に下から挿入され、ブラケット４３が固定板３１にねじ部材４４によって締結されている。
【００１４】
ここで、図５（ｂ）に示されているように、強化ガラス板４０の左右の端面の中心線上には嵌着溝４５が全長にわたって没設されており、嵌着溝４５にはシール部材４６が嵌着されている。シール部材４６は隣り合う強化ガラス板４０、４０の間のクリアランスをシールするとともに、強化ガラス板４０、４０の端面同士の衝突を緩衝するようにシリコーンゴム等のクッション材（弾性材）が使用されて一体成形されている。かつまた、シール部材４６は移動壁１１が直角姿勢に維持された時に強化ガラス板４０が目視し易い色彩（例えば、黒色や赤色）に着色されている。
シール部材４６は長さが強化ガラス板４０の全高と略等しい細長い半円形筒形状に形成されており、半円形の弦側外面には嵌着溝４５に嵌入する嵌入部４６ａが全長にわたって突設されている。シール部材４６の嵌入部４６ａが嵌着溝４５に嵌入されて貼着されることにより、シール部材４６は強化ガラス板４０の端面に固定されている。このように、シール部材４６が嵌着溝４５によって貼着されると、強化ガラス板４０が透明に構成された場合であっても、シール部材４６の貼着面が強化ガラス板４０のオフィスルーム２、２側の主面から目視することができなくなる。したがって、たとえ貼着面が乱れていても、違和感を及ぼすことは無い。
【００１５】
また、図２に示されているように、上側フレーム１７の化粧板２０の底壁における左右の吊り下げ孔４１、４１に対向する位置には、回転フレーム３０の傾きを阻止するための傾き防止部２８、２８がそれぞれ下向きに突設されている。図５（ａ）および（ｃ）に示されているように、傾き防止部２８は化粧板２０の底壁の一部を上からエンボス加工して、略半球形状に下向きに膨出させることにより形成されており、傾き防止部２８の下面が回転フレーム３０の化粧板３３の上面に摺接することにより、回転フレーム３０の傾きを防止するようになっている。
【００１６】
図２〜図５に示されているように、強化ガラス板４０の下端部には下側フレーム５０が水平に固定されている。すなわち、強化ガラス板４０の下端部における左右の吊り下げ孔４１、４１の真下位置には、左右で一対の取付孔４７、４７がそれぞれ開設されている。図５に示されているように、各取付孔４７にはブラケット４９がゴムまたは樹脂製のクッション部材４８を挟み込まれて嵌入されている。この状態で、強化ガラス板４０の下端部は下側フレーム５０の前後の固定板５１、５１の間に上から挿入されており、ブラケット４９が固定板５１にねじ部材５２によって締結されている。下側フレーム５０の前後の固定板５１、５１やねじ部材５２はステンレス鋼板等によって形成された化粧板５３によって被覆されている。
【００１７】
図２に示されているように、下側フレーム５０の下端部内にはシール体５４が左右方向の全長にわたって敷設されており、シール体５４は下側フレーム５０に昇降自在に支承されている。すなわち、図５に示されているように、シール体５４はステンレス鋼板によってチャンネル型鋼形状に形成されており、開口側が上向きになるように配置されて下側フレーム５０に下から挿入され、下側フレーム５０の前後の固定板５１、５１に挟まれて昇降自在に支承されている。シール体５４の下面にはスポンジ等の弾性材によって形成されたクッション部材５５が左右方向の全長にわたって貼着されており、クッション部材５５は床面との隙間をシールし得るように設定されている。
【００１８】
下側フレーム５０の内部にはシール体５４を昇降駆動する昇降操作装置５６が設置されている。すなわち、図６に示されているように、昇降操作装置５６は前後の固定板５１、５１の間に水平に配置されて回転自在に軸架された操作軸５７を備えている。操作軸５７の一端面には正方形の四角穴形状に形成されたハンドル係合穴５８が没設されており、操作軸５７はハンドル係合穴５８にハンドル（図示せず）を挿入された状態で回動操作されるように構成されている。操作軸５７の外周には爪車５９が固定されており、爪車５９には爪６０が爪車５９の一方向の回転を阻止するように係合されている。爪６０の中間部は固定板５１（図５参照）に枢軸６１によって回転自在に軸架されており、固定板５１に反力をとったスプリング６２によって爪車５９に係合する方向に常時付勢されている。爪６０はスプリング６２に抗して枢軸６１を回動されることにより、爪車５９との係合を解除するようになっている。また、昇降操作装置５６はリターンスプリング６３を備えており、リターンスプリング６３は固定板５１に反力をとってシール体５４を上昇させる方向に常時付勢するように設定されている。
【００１９】
図２に示されているように、下側フレーム５０における回転軸２５の中心線上には、強化ガラス板４０が上側フレーム１７に対して回動操作される際の振れを防止するための振れ止め装置７０が内蔵されている。
図４および図６に示されているように、振れ止め装置７０は前後の固定板５１、５１の間に水平に配されて回転自在に軸架された操作軸７１を備えている。操作軸７１の一端面には正方形の四角穴形状に形成されたハンドル係合穴７２が没設されており、操作軸７１はハンドル係合穴７２にハンドル（図示せず）を挿入された状態で回動操作されるように構成されている。操作軸７１の外周にはカム７３が固定されており、カム７３にはカムホロープレート７４が連動されている。カムホロープレート７４は前後の固定板５１、５１の間に水平に配されて昇降自在に支承されており、固定板５１に反力をとった左右で一対のスプリング７５、７５によってカム７３に押接する方向に常時付勢されている。カムホロープレート７４の中央部には円柱形状に形成された振れ止め回転軸７６の上端が直角に配されて固定されており、振れ止め回転軸７６の下端部はシール体５４の底壁およびクッション部材５５を貫通して下方に突出するようになっている。振れ止め回転軸７６の下端部は、床面６の対向位置に埋設された振れ止め具７７に回転自在に嵌入し得るように構成されている。振れ止め具７７は内径が振れ止め回転軸７６の外径よりも若干だけ大径の円筒形状に形成されており、嵌入した振れ止め回転軸７６の回転を許容するように設定されている。
【００２０】
図２に示されているように、回転フレーム３０における右側のトロリー１３の真下の位置には、強化ガラス板４０が自然に回転してしまうのを防止するための回転防止装置８０が設置されている。
図３に示されているように、回転フレーム３０の前後の固定板３１、３１の上端部には前後で一対のガイド孔８１、８１が垂直に開設されており、前後のガイド孔８１、８１には回転防止装置８０のストッパ８２が水平に配されて摺動自在に嵌入されている。ストッパ８２の一端部は一方のガイド孔８１から外部に挿通されている。ストッパ８２の上面における前後のガイド孔８１、８１の間の部位には内側係合部８３が突設されており、ストッパ８２の突出部の中間部位には外側係合部８４が突設されている。内側係合部８３が上側フレーム１７の一方の固定板１８の内面に下から係合するとともに、外側係合部８４が上側フレーム１７の化粧板２０の外面に下から係合することにより、内側係合部８３と外側係合部８４とは上側フレーム１７と係合するようになっている。外側係合部８４の上端は内側係合部８３の上端よりも上方に突出するように設定されており、内側係合部８３の上側フレーム１７との係合が解除された状態においても、外側係合部８４の上端部が上側フレーム１７の外面に係合することにより、回転フレーム３０すなわち強化ガラス板４０が反対側に回転するのを防止するようになっている。
外側係合部８４には上側フレーム１７の化粧板２０の表面を損傷させるのを防止するためのクッション部材８５が嵌着されている。ストッパ８２の外側係合部８４の外側にはフック部８６が上向きに突設されており、フック部８６はストッパ８２を引き下ろすための引き下ろし具９０を引っ掛けることができるように構成されている。
ストッパ８２の下面にはガイドピン８７が垂直に突設されており、ガイドピン８７の下端部は固定板３１に突設されたガイドブラケット８８のガイド孔に摺動自在に挿通されている。ストッパ８２の下面とガイドブラケット８８との間にはスプリング８９がストッパ８２を上方に常時付勢するように介設されている。
【００２１】
次に、作用を説明する。
【００２２】
図１ないし図６に示されているように、屋内空間１をオフィスルーム２、２に間仕切りした状態（フルクローズの状態）においては、移動間仕切り１０のシール体５４は下側フレーム５０の下端から突出されて床面６に押接された状態になっている。シール体５４が床面６に押接することにより、各移動壁１１は移動を阻止された状態になっている。
また、シール体５４は下側フレーム５０の下端面と床面６との間に隙間を生ずることなく確実にシールした状態になるので、シール体５４は移動壁１１と床面６との隙間を確実に目隠することにより、移動壁１１の外観を高め、移動壁１１と床面６との隙間を密封することにより防音効果を高める。
【００２３】
例えば、移動間仕切り１０が引き込みレール１２ａ、１２ａに格納されたフルオープンの状態に移行する場合のように、移動壁１１が移動される際には、ハンドルがハンドル係合穴５８に挿入されて回転操作軸５７に取り付けられ、回転操作軸５７がシール体５４の没入方向に回転され、図７に示されているように、シール体５４が下側フレーム５０の内部に没入される。シール体５４が下側フレーム５０の内部に没入され、爪６０が爪車５９の係合凹部に係合すると、爪車５９の回転が阻止された状態になるため、シール体５４は下側フレーム５０の内部に没入された状態になる。
また、ハンドルがハンドル係合穴７２に挿入されて操作軸７１に取り付けられ、図７に示されているように、操作軸７１によってカム７３が振れ止め回転軸７６の引き込み方向に回転される。カム７３がその方向に回転されると、スプリング７５によって常時上方に付勢されているカムホロープレート７４が上方に移動するために、振れ止め回転軸７６が振れ止め具７７から引き抜かれる。なお、シール体５４の没入操作と振れ止め回転軸７６の引き抜き操作とはいずれが先であってもよい。
以上のようにして、シール体５４の押接および振れ止め回転軸７６の引き抜きが完了すると、移動壁１１はシール体５４および振れ止め回転軸７６に妨害されずにトロリー１３の走行によってレール１２を円滑に移動することができる。
【００２４】
例えば、図１に示されているように、移動間仕切り１０の所望の場所を開いたセミオープンの状態に移行すべく、移動間仕切り１０の隣接して直列に並んだ複数枚の移動壁１１のうちの所望の移動壁１１がレール１２に対して直角に回動される際には、シール体５４が下側フレーム５０の内部に没入される。この際には、振れ止め回転軸７６は振れ止め具７７に図４に示されているように嵌入されている。
【００２５】
続いて、図８に示されているように、引き下ろし具９０が回転防止装置８０のストッパ８２のフック部８６に引っ掛けられてストッパ８２が引き下ろされ、ストッパ８２の上側フレーム１７との係合が解除される。ストッパ８２の上側フレーム１７との係合が解除された状態で、移動壁１１がスラスト転がり軸受２１の回転軸２５を中心にして回動される。この際、振れ止め回転軸７６が振れ止め具７７によって回転自在に支承されているために、移動壁１１の下部が振れることなく、移動壁１１はスラスト転がり軸受２１の回転軸２５を中心に適正かつ円滑に回動することができる。
また、図８に示されているように、ストッパ８２の外側係合部８４が上側フレーム１７の外面に係合した状態になっているために、移動壁１１は外側係合部８４と上側フレーム１７との係合を解除可能な方向にだけ回動させることができる。つまり、移動壁１１の回転は常に一方向に規定されているので、移動壁１１の回転作業に際しての安全を確保することができる。
【００２６】
移動壁１１が所望の位置に回動されると、シール体５４が下側フレーム５０の下端から突出されて床面６に押接される。このシール体５４の床面６への押接状態により、移動壁１１は床面６に固定された状態になるので、移動壁１１は回動した後の状態を維持することができる。
【００２７】
その後、回転させた移動壁１１が元の位置に戻される場合には、前述とは逆の手順が実施される。この際、図９に示されているように、回転防止装置８０のストッパ８２の内側係合部８３の傾斜面部８３ａが上側フレーム１７の外側下隅部に係合して、移動壁１１が閉じられて行くことにより、ストッパ８２がスプリング８９の弾発力に抗して自動的に押し下げられて行くために、ストッパ８２は上側フレーム１７に自動的に係合することができる。
そして、ストッパ８２はスプリング８９によって常時上方に付勢されているために、ストッパ８２が上側フレーム１７に一度係合すると、移動壁１１の回転は阻止された状態になり、安全を確保することができる。つまり、移動壁１１を元に戻す場合には、引き下ろし具９０の使用は省略することができる。
【００２８】
ところで、移動壁１１の閉じ動作に伴って、ストッパ８２がスプリング８９の弾発力に抗して押し下げられて行く時に、回転フレーム３０にはスプリング８９の弾発力が相対的に作用するので、回転フレーム３０が上側フレーム１７に対して傾斜することにより、回転フレーム３０と上側フレーム１７との間が干渉し合う状態になろうとする。
しかし、本実施の形態においては、上側フレーム１７の化粧板２０の底壁には回転フレーム３０の傾きを阻止するための傾き防止部２８がそれぞれ下向きに突設されているので、回転フレーム３０と上側フレーム１７との間が干渉し合う状態になるのを防止することができる。しかも、傾き防止部２８は上側フレーム１７側に配置されているので、傾き防止部２８が回転フレーム３０の化粧板３３の上面に擦過傷を形成させたとしても、当該擦過傷がオフィスルーム２、２の居住者から目視されることはない。
【００２９】
前記実施の形態によれば、次の効果が得られる。
【００３０】
1)  トロリーに吊持された移動壁の上側フレームに強化ガラス板を吊持した回転フレームを中央に配置したスラスト転がり軸受の回転軸によって回転自在に支承することにより、移動壁が移動間仕切りに使用された場合には、所望の移動壁を回転させることにより、移動間仕切りの一部を開いたセミオープンの状態を構成することができるので、移動間仕切りの機能ないしは使用方法等のバリエーションを増加させることができる。
【００３１】
2)  壁体を強化ガラス板または強化ガラス板同士による合わせガラス板によって形成することにより、移動壁を透明や半透明および不透明に構成することができるので、移動間仕切りの審美性や機能ないしは使用方法等のバリエーションをより一層増加させることができる。しかも、強化ガラス板または強化ガラス板同士による合わせガラス板は温度や湿度等によって変形されることがないので、移動間仕切りの品質ないし性能および耐久性や信頼性等を向上させることができる。
【００３２】
3)  床面に据え付けられた振れ止め具に回転自在に嵌入する振れ止め回転軸を移動壁のスラスト転がり軸受の回転軸の中心線上に配設することにより、移動壁の回転操作中の振れを防止することができるので、移動壁を適正かつ安全に回転させることができる。
【００３３】
4)  回転可能な移動壁に不測の回転を防止する回転防止装置を設置することにより、安全性をより一層高めることができる。さらに、回転防止装置を自動的に回転防止状態に移行するように構成することにより、安全性をさらに高めることができる。
【００３４】
5)  強化ガラス板の両端面に弾性体製のシール部材を貼着することにより、隣接した強化ガラス板との間の互いの接触を避けるためのクリアランスをシールすることができる。また、移動壁の一方の回転操作時に強化ガラス板の端面同士が接触するのを防止することにより、強化ガラス板の端面が欠けるのを防止することができる。
【００３５】
6)  シール部材を黒色や赤色等の目視し易い色彩に着色することにより、移動壁が間仕切りと直角に回動されたセミオープンの状態においても、強化ガラス板の存在を目視させることができるので、通行の安全性を向上させることができる。
【００３６】
なお、本発明は前記実施の形態に限定されるものではなく、その要旨を逸脱しない範囲で種々に変更が可能であることはいうまでもない。
【００３７】
例えば、移動壁の壁体は強化ガラス板または強化ガラス板同士による合わせガラス板によって形成するに限らず、フレーム材とアルミニウム板や合板の組合せ等によって構築してもよい。
【００３８】
回転吊持装置はスラスト転がり軸受によって構成するに限らず、スラスト滑り軸受やラジアル軸受等によって構成してもよい。
【００３９】
振れ止め装置や回転防止装置およびシール体の昇降操作装置の具体的な構成は、前記実施の形態に限定されない。
【図面の簡単な説明】
【００４０】
【図１】本発明の一実施の形態である移動壁を使用した移動間仕切りを示しており、（ａ）は概略平面図、（ｂ）は概略正面図である。
【図２】本発明の一実施の形態である移動壁を示す一部省略正面図である。
【図３】（ａ）は図２のIII −III 線に沿う一部省略側面断面図、（ｂ）は図３（ａ）のｂ−ｂ矢視図である。
【図４】図２のIV−IV線に沿う一部省略側面断面図である。
【図５】（ａ）は図２のＶ−Ｖ線に沿う一部省略側面断面図、（ｂ）は図５（ａ）のｂ−ｂ線に沿う一部省略平面断面図、（ｃ）は図５（ａ）のｃ−ｃ線に沿う一部省略底面図である。
【図６】下側フレームの主要部を示す一部省略正面断面図である。
【図７】同じく下側フレームの主要部を示す一部省略正面断面図であり、移動時の状態を示している。
【図８】（ａ）は回転防止装置の解除時を示す一部省略一部切断側面図、（ｂ）は図８（ａ）のｂ−ｂ矢視図である。
【図９】回転防止装置の戻し時を示す一部省略一部切断側面図である。
【符号の説明】
【００４１】
１…屋内空間、２…オフィスルーム、３…側壁、４…天井、５…天井板、６…床面、９…ドア、１０…移動間仕切り、１１…移動壁、１２…レール、１２ａ…引き込みレール、１３…トロリー、１４…車輪、１５…吊り下げ軸、１６…取付ブロック、１７…上側フレーム、１８…固定板、１９…ねじ部材、２０…化粧板、２１…スラスト転がり軸受（回転吊持装置）、２２…上側レース、２３…下側レース、２４…ローラ、２５…回転軸、２６…ナット、２７…取付ブロック、２８…傾き防止部、３０…回転フレーム、３１…固定板、３２…ねじ部材、３３…化粧板、４０…強化ガラス板（壁体）、４１…吊り下げ孔、４２…クッション部材、４３…ブラケット、４４…ねじ部材、４５…嵌着溝、４６…シール部材、４６ａ…嵌入部、４７…取付孔、４８…クッション部材、４９…ブラケット、５０…下側フレーム、５１…固定板、５２…ねじ部材、５３…化粧板、５４…シール体、５５…クッション部材、５６…昇降操作装置、５７…操作軸、５８…ハンドル係合穴、５９…爪車、６０…爪、６１…枢軸、６２…スプリング、６３…リターンスプリング、７０…振れ止め装置、７１…操作軸、７２…ハンドル係合穴、７３…カム、７４…カムホロープレート、７５…スプリング、７６…振れ止め回転軸、７７…振れ止め具、８０…回転防止装置、８１…ガイド孔、８２…ストッパ、８３…内側係合部、８４…外側係合部、８５…クッション部材、８６…フック部、８７…ガイドピン、８８…ガイドブラケット、８９…スプリング、９０…引き下ろし具。
【図１】
2005336739.tif 000003
【図２】
2005336739.tif 000004
【図３】
2005336739.tif 000005
【図４】
2005336739.tif 000006
【図５】
2005336739.tif 000007
【図６】
2005336739.tif 000008
【図７】
2005336739.tif 000009
【図８】
2005336739.tif 000010
【図９】
2005336739.tif 000011